(57)【要約】【課題】持ち手を備えたカバンに対し必要に応じて容易に着脱でき、使用時には肩、腕、手に大きな負担をかけることなく持ち運びすることができ、非使用時には邪魔になることのないカバン等の手荷物の肩掛け用具を提供する。【解決手段】取付部３をカバンＫの持ち手Ｍに掛け、肩掛けベルト１７を肩に掛けて、持ち手Ｍを軽く握った状態で、カバンＫを持ち歩く。カバンＫを肩から下ろす場合には、一方の手で肩掛けベルト１７を掴み、少し屈むようにしてカバンＫを床などに置きながら、腕を肩掛けベルト１７から抜く。そして、取付部３を持ち手Ｍから外し、肩掛け用具１をカバンＫから取り外して、肩掛け用具１は肩掛けベルト１７を取付部３に巻き付けるなどして、コンパクトな状態として衣服のポケットやカバンの外ポケット等に入れておく。【選択図】        図１
0003114929.tif 000002
【実用新案登録請求の範囲】
【請求項１】
カバン等の手荷物の持ち手に取り付けられる取付部と、前記取付部に一端部側と他端部側が連結された肩掛けベルトとから成る手荷物の肩掛け用具。
【請求項２】
請求項１に記載した手荷物の肩掛け用具において、肩掛けベルトの一端部側と他端部側のそれぞれの取付部に対する連結箇所どうしを接近して配置したことを特徴とする手荷物の肩掛け用具。
【請求項３】
請求項２に記載した手荷物の肩掛け用具において、肩掛けベルトの一端部側と他端部側のそれぞれの取付部に対する連結部どうしの距離は、５ミリメートルから１００ミリメートルの範囲であることを特徴とする手荷物の肩掛け用具。
【請求項４】
請求項１から３のいずれかに記載した手荷物の肩掛け用具において、取付部は板状部材を湾曲させた形状に形成され、手荷物の持ち手に係止して取り付けるものであることを特徴とする手荷物の肩掛け用具。
【請求項５】
請求項４に記載した手荷物の肩掛け用具において、取付部の両端部が下がる方向へ湾曲していることを特徴とする手荷物の肩掛け用具。
【請求項６】
請求項１から３のいずれかに記載した手荷物の肩掛け用具において、取付部は柔軟性をもつ材料によって構成され、持ち手に巻き付けられて、固定手段により取り付けられるものであることを特徴とする手荷物の肩掛け用具。
【請求項７】
請求項１から５のいずれかに記載した手荷物の肩掛け用具において、取付部は手荷物の持ち手に当接する部分が他の部分より幅広に形成されていることを特徴とする手荷物の肩掛け用具。
【考案の詳細な説明】
【技術分野】
【０００１】
本考案はカバン等の手荷物を肩に掛けるために用いる手荷物の肩掛け用具に関するものである。
【背景技術】
【０００２】
カバンには、握って持ち上げるための持ち手だけを備えたタイプのものと、持ち手と肩掛けベルトの両方を備えたもの等がある。
しかしながら、持ち手だけを備えたカバンは、常に持ち手を握って持ち歩くことになるため、肩、腕、手にかなりの負担がかかることになる。
一方、持ち手と肩掛けベルトの両方を備えたカバンは、使用しない肩掛けベルトが邪魔になることが少なくないという問題がある。
【０００３】
また、従来のカバンの肩掛けベルトは、その一端と他端が幅方向の両端にそれぞれ取り付けられている。従って、肩掛けベルトを肩に掛けると、肩掛けベルトが下方へいく程、広がった状態となる。即ち、肩掛けベルトの肩に当接する部分を頂点とするベルトの開き角度が大きくなってしまうことになる。このため、肩掛けベルトが肩からずり落ち易く、使い勝手が極めて悪い。また、肩掛けベルトが肩からずり落ち易いので、これを防ごうとして、どうしても肩掛けベルトを強く掴むため、肩掛けベルトを下方へ引っ張ることになる。このため荷重が更に加わることになり、自らが肩に掛かる荷重を大きくしていることになっている。
しかも、ベルトの開き角度が大きくなると、ベルトの極小さな面積の部分だけが肩に当接することになり、この部分に荷重が集中することになる。このため、特に重い手荷物ではすぐに肩が痛くなってしまう。
【考案の開示】
【考案が解決しようとする課題】
【０００４】
本考案は、上記従来の問題点に着目して為されたものであり、持ち手を備えたカバンに対し必要に応じて容易に着脱できて、使用時には肩、腕、手に大きな負担をかけることなく持ち運びすることができ、非使用時には邪魔になることがなくて、肩掛けベルトが肩からずり落ちてしまうことがなく使い勝手が良好で、しかもベルトの比較的大きな面積に荷重が掛かり、長時間使用しても肩が痛くなることのないカバン等の手荷物の肩掛け用具を提供することを課題とする。
【課題を解決するための手段】
【０００５】
本考案は上記課題を解決するためになされたものであり、請求項１の考案は、カバン等の手荷物の持ち手に取り付けられる取付部と、前記取付部に一端部側と他端部側が連結された肩掛けベルトとから成る手荷物の肩掛け用具である。
【０００６】
請求項２の考案は、請求項１に記載した手荷物の肩掛け用具において、肩掛けベルトの一端部側と他端部側のそれぞれの取付部に対する連結箇所どうしを接近して配置したことを特徴とする手荷物の肩掛け用具である。
【０００７】
請求項３の考案は、請求項２に記載した手荷物の肩掛け用具において、肩掛けベルトの一端部側と他端部側のそれぞれの取付部に対する連結部どうしの距離は、５ミリメートルから１００ミリメートルの範囲であることを特徴とする手荷物の肩掛け用である。
【０００８】
請求項４の考案は、請求項１から３のいずれかに記載した手荷物の肩掛け用具において、取付部は板状部材を湾曲させた形状に形成され、手荷物の持ち手に係止して取り付けるものであることを特徴とする手荷物の肩掛け用具である。
【０００９】
請求項５の考案は、請求項４に記載した手荷物の肩掛け用具において、取付部の両端部が下がる方向へ湾曲していることを特徴とする手荷物の肩掛け用具である。
【００１０】
請求項６の考案は、請求項１から３のいずれかに記載した手荷物の肩掛け用具において、取付部は柔軟性をもつ材料によって構成され、持ち手に巻き付けられて、固定手段により取り付けられるものであることを特徴とする手荷物の肩掛け用具である。
【００１１】
請求項７の考案は、請求項１から５のいずれかに記載した手荷物の肩掛け用具において、取付部は手荷物の持ち手に当接する部分が他の部分より幅広に形成されていることを特徴とする手荷物の肩掛け用具である。
【考案の効果】
【００１２】
本考案に係るカバン等の手荷物の肩掛け用具によれば、持ち手だけを備えたカバン等の手荷物に対し必要に応じて容易に着脱できる。従って、使用時には肩、腕、手に大きな負担をかけることなく持ち運びすることができ、非使用時には邪魔になるという不都合がない。
また、肩掛けベルトが肩からずり落ちてしまうことがなく使い勝手が良好なものとなる。
さらに、ベルトの比較的大きな面積に荷重が掛かるので、使用者の負担が小さく、長時間使用しても肩が痛くなるのを防止することができる。
【考案を実施するための最良の形態】
【００１３】
本考案の実施の形態１に係る手荷物の肩掛け用具１を図１〜図６の図面にしたがって説明する。
符号３は取付部を示し、この取付部３はアルミニウム合金の芯材５を革製のカバー７で被覆して構成されている（図２参照）。取付部３は、一例として３５ｍｍの幅寸法を有する板状部材で途中部分から上方に向かって湾曲する形状に形成されており、湾曲する部分が他の部分より幅広に形成された当接部９となっている。この当接部９の左右両端部は下方へ僅かに湾曲している。
【００１４】
取付部３の上端部には一対の丸穴１１ａ、１１ｂが形成されており、丸穴１１ａの中心から丸穴１１ｂの中心までの距離Ｈは一例として１５ｍｍである。
一対の丸穴１１ａ、１１ｂにはベルト取付金具１３ａ、１３ｂがそれぞれ連結されている。肩掛けベルト１７の一端部側１７ｂはベルト取付金具１３ｂに通されており、このベルト取付金具１３ｂに通された部分が折り返されて、肩掛けベルト１７の途中部分に縫い付けられている。肩掛けベルト１７の他端部側１７ａはベルト取付金具１３ａに通されており、このベルト取付金具１３ａに通された部分が折り返されて、長さ調節金具１９に通され、更に折り返されて肩掛けベルト１７の途中部分に縫い付けられている。これにより肩掛けベルト１７の長さを調節することができるようになっている。
【００１５】
即ち、肩掛けベルト１７の一端部側１７ａと他端部側１７ｂの取付部３に対する連結箇所どうしの距離は、上記した丸穴１１ａの中心から丸穴１１ｂの中心までの距離Ｈである１５ｍｍである。
また、肩掛けベルト１７の途中部分には、肩掛けベルト１７に対し摺動自在で、移動可能なパッド２１が取り付けられている。
【００１６】
手荷物の肩掛け用具１の使用方法について説明する。
まず、肩掛けベルト１７の長さを自分にあった長さに調節する。即ち、カバンＫの持ち手Ｍを掴む位置に丁度取付部３がくるように肩掛けベルト１７の長さを調節する。またパッド２１を摺動させて肩ベルト１７を肩に掛けたとき、丁度肩に当接するように移動する。
そして、図３に示すように取付部３を、体に対し外側からカバンＫの持ち手Ｍに掛ける。次に図４に示すように、少し屈むようにして肩掛けベルト１７を、カバンＫを持つ側の腕を通し、更にカバンＫを持つ側の肩に肩掛けベルト１７を掛けて、パッド２１を当接させ、持ち手Ｍを握る。次いで、反対側の手で肩掛けベルト１７を押さえて、パッド２１がずり落ちないようにしてカバンＫを持ち上げる。
これにより取付部３の当接部９は持ち手Ｍの下面に当接する。当接部９は他の部分より幅広に形成されているので、持ち手Ｍを安定して係止することができる。また、当接部９の左右両端部は下方へ僅かに湾曲しているので、当接部９の両端部のエッジは持ち手Ｍに接触せず、持ち手Ｍが傷むのを防止することができる。
【００１７】
図５に示す状態では、カバンKの荷重の殆どが肩掛けベルト１７にかかる。また、肩掛けベルト１７の一端部側１７ａと他端部側１７ｂの取付部３に対する連結箇所どうしの距離は１５ｍｍで、肩の厚み寸法よりかなり小さいので、肩掛けベルト１７は下方へいく程、狭まろうする。即ち、肩掛けベルト１７の肩に当接する部分（肩パッド２１が位置する部分）を頂点とするベルトの開き角度が小さく、上記のように肩掛けベルト１７には下方へいく程、狭まろうする力が働く。従って、肩掛けベルト１７によって肩の前後が挟持され、このため、肩掛けベルトが肩からずり落ちるのを防止でき、使い勝手が極めて良い。しかも、ベルト１７の開き角度が小さいと、ベルト１７の比較的大きな面積の部分が肩やその近傍に当接することになり、荷重が分散される。このため、カバンＫを長時間に渡って、持っても肩が痛くなることはない。
また、肩ベルト１７の開き角度が小さいため、ベルト１７が殆ど目立たず、ファッション的にも優れている。
【００１８】
上記のように、カバンＫは肩掛けベルト１７を用いて担いだ状態となり、持ち手Ｍを掴む腕には荷重は殆どかからない。また、上記のように肩掛けベルト１７の長さを調節しているので、図６に示すように取付部３を持ち手Ｍごと、手で軽く包むようにして添える程度で、手の平の弾力も手伝って歩く際にカバンKが揺れるのを防止できる。カバンKが揺れないので遠心力が働かず、大きな荷重が肩にかかるのを防止することができる。このように、持ち手Ｍに手を添える程度なので、従来のカバンと異なり、自らがベルトを引っ張り荷重を大きくしてしまうことはない。
また、取付部３の表面は革製のカバー７によって構成されているので、暖かみのある感触で手触りが良い。
【００１９】
このように、肩掛け用具１では、肩やその近傍の大きな面積でカバンKの荷重を受けて楽に担いだ状態となり、しかもカバンKがずり落ちることがない。よって、肩、腕、手にかかる負担を最小限に抑えることができる。更に、持ち手Ｍを握っている手を離することができるので、必要な場合には両手を使うことができるメリットもある。
【００２０】
カバンＫを肩から下ろす場合には、一方の手で肩掛けベルト１７を掴み、少し屈むようにしてカバンＫを床などに置きながら、腕を肩掛けベルト１７から抜く。そして、取付部３を持ち手Ｍから外し、肩掛け用具１をカバンＫから取り外して、肩掛けベルト１７を取付部３に巻き付けるなどして、コンパクトな状態とし衣服のポケットやカバンに設けられた外ポケット等に入れておく。
このように、肩掛け用具１は、取付部３を持ち手Ｍに掛けるだけなので、極めて容易に着脱できる。また非常にコンパクトな状態とできるので、嵩張らず衣服のポケットやカバンの外ポケットに入れておくことが可能である。従って、持ち運びに便利なだけでなく、使用するときには素早く取り出すことができる。
【００２１】
本考案の実施の形態２に係る手荷物の肩掛け用具３１を図７の図面にしたがって説明する。
実施の形態２に係る手荷物の肩掛け用具３１は取付部３３の構成を除き、実施の形態１に係る手荷物の肩掛け用具１と同様なので、その相違点についてのみ説明することとし、同様の構成部分については実施例１で用いた符号を付して、その説明を省略する。このことは実施の形態３についても適用する。
取付部３３は革製であり柔軟性を有しており、また長方形の板状に形成されている。取付部３３の上端部には一対の丸穴３５ａ、３５ｂが形成されている。一対の丸穴３５ａ、３５ｂにはベルト取付金具１３ａ、１３ｂがそれぞれ連結されている。
【００２２】
丸穴３５ａの中心から丸穴３５ｂの中心までの距離は１５ｍｍである。取付部３３の下端部にはホックの雄側３７ａ、３９ａが横方向に並んで設けられており、また取付部３３の中央部よりやや上側にはホックの雄側３７ａ、３９ａに対応して雌側３７ｂ、３９ｂが設けられている。これらホックの雄側３７ａ、３９ａ及び雌側３７ｂ、３９ｂにより固定手段が構成されている。
【００２３】
この手荷物の肩掛け用具３１の使用方法について説明する。
取付部３３をカバンＫ１の持ち手Ｍ１、Ｍ２に巻き付けて、ホックの雄側３７ａ、３９ａを雌側３７ｂ、３９ｂに嵌合する。これにより取付部３３は持ち手Ｍ１、Ｍ２に取り付けられ、取付部３３の当接部３０が持ち手Ｍ１、Ｍ２に当接する。この他の手荷物の肩掛け用具３１の使用方法は、実施の形態１に係る手荷物の肩掛け用具１と同様である。
【００２４】
本考案の実施の形態３に係る手荷物の肩掛け用具４１を図８、図９の図面にしたがって説明する。
取付部４３は革製であり、第１取付部４５と第２取付部４７とによって構成されている。第１取付部４５と第２取付部４７は一部分が重ねられ、第１取付部４５の他端部側が折り返されて、第１取付部４５の途中部分及び第２取付部４７に縫い付けられている。従って、この手荷物の肩掛け用具４１はカバンＫ１の持ち手Ｍ１に取り付けられたままで着脱はできない。
また、第２取付部４７の一端部分は自由端となっており、この部分にホックの雄側３７ａ、３９ａが並列して設けられている。また、第１取付部４５の上端部やや下側にはホックの雌側３７ｂ、３９ｂが設けられている。
取付部４３の上端部には一対の丸穴４９ａ、４９ｂが形成され、丸穴４９ａ、４９ｂにベルト取付金具１３ａ、１３ｂがそれぞれ連結されている。
【００２５】
この手荷物の肩掛け用具４１の使用方法について説明する。
取付部４３の第２取付部４７をカバンＫ１の持ち手Ｍ２に巻き付けて、ホックの雄側３７ａ、３９ａを雌側３７ｂ、３９ｂに嵌合する。これにより第２取付部４７が持ち手Ｍ２に取り付けられ、取付部４３は持ち手Ｍ１、Ｍ２の両方に取り付けられる。そして、取付部４３の当接部４０、４２が持ち手Ｍ１、Ｍ２に当接する。この他の手荷物の肩掛け用具４１の使用方法は、実施の形態１に係る手荷物の肩掛け用具１と同様である。
【００２６】
以上、本考案の実施の形態について詳述してきたが、具体的構成は、この実施の形態に限られるものではなく、本考案の要旨を逸脱しない範囲における設計の変更などがあっても考案に含まれる。
例えば、本発明の手荷物の肩掛け用具は上記実施の形態で示したカバンだけでなく、キャリィバッグ等の他の種類のカバンに使用できることは勿論である。
また、上記実施の形態では、手荷物としてカバンを示したが、本考案はこれに限定されず、取付部を掛けることができる部材を有するものであれば、品物を入れ、紐掛けされた段ボール箱、スーパーマーケットなどで使用されるショッピングバッグ（プラスチック製の袋）等であってもよい。この場合には段ボール箱に掛けられた紐やこの紐に取り付けられた持ち手に、取付部を取り付けるようにする。
また、取付部はアルミニウム合金製の芯材と、これを被覆する革製のカバー７とによって構成したが、これに限定されずプラスチック等によって構成してもよい。
【００２７】
また、上記実施の形態では、肩掛けベルトの一端部側と他端部側のそれぞれの取付部に対する連結部どうしの距離を１５ｍｍとしたが、本考案はこれに限定されず、５ミリメートルから１００ミリメートルの範囲で調節可能であり、好ましくは肩の厚み寸法より小さい５ｍｍ〜５０ｍｍの範囲で調節する。即ち、肩掛けベルトの開き角度があまり大きくならず、肩掛けベルトが使用者の肩やその近傍に当接するように、肩掛けベルトの取付部に対する連結部どうしの距離を調節する。
【００２８】
尚、実施の形態２及び３に係る取付部３３、４３の持ち手Ｍ１、Ｍ２に当接する当接部３０、４０、４２の幅寸法を取付部３３、４３の他の部分より幅広にしてもよい。
実施の形態２及び３において、取付部３３、４３を持ち手Ｍ１、Ｍ２に固定するのにホック以外の面ファスナー等の固定手段を用いることも可能である。
【図面の簡単な説明】
【００２９】
【図１】本考案の実施の形態１に係る手荷物の肩掛け用具の斜視図である。
【図２】手荷物の肩掛け用具の取付部をカバンの持ち手に掛けた状態の部分断面図である。
【図３】図１の手荷物の肩掛け用具の使用方法を説明するための図である。
【図４】図１の手荷物の肩掛け用具の使用方法を説明するための図である。
【図５】図１の手荷物の肩掛け用具の使用方法を説明するための図である。
【図６】図１の手荷物の肩掛け用具の取付部を持ち手に掛けて手を添えた状態を説明するための図である。
【図７】実施の形態２に係る手荷物の肩掛け用具の斜視図である。
【図８】実施の形態３に係る手荷物の肩掛け用具の斜視図である。
【図９】実施の形態３に係る手荷物の肩掛け用具の斜視図である。
【符号の説明】
【００３０】
１、３１、４１  手荷物の肩掛け用具      ３、３３、４３  取付部
５  芯材      ７  カバー      ９、３０、４０、４２  当接部
１１ａ、１１ｂ、３５ａ、３５ｂ、４９ａ、４９ｂ  丸穴
１３ａ、１３ｂ  バンド取付金具
１９  長さ調節金具      ２１      パッド
３７ａ、３９ａ  ホックの雄側      ３７ｂ、３９ｂ  ホックの雌側
Ｋ、Ｋ１  カバン      Ｍ、Ｍ１、Ｍ２  持ち手
【図１】
0003114929.tif 000003
【図２】
0003114929.tif 000004
【図３】
0003114929.tif 000005
【図４】
0003114929.tif 000006
【図５】
0003114929.tif 000007
【図６】
0003114929.tif 000008
【図７】
0003114929.tif 000009
【図８】
0003114929.tif 000010
【図９】
0003114929.tif 000011